(57)【要約】【課題】  庭付きの自宅を持った高齢者が増えつつある今日、梯子を使わずに地上にいて操作が手軽で能率的に作業ができ、感電・転落・負傷から避けられ、安全に自分の庭の手入れができる剪定器機の出現が期待されている。高齢者に適した軽くて丈夫な製品で、消費者が納得できる製品価格であることも大きな課題である。【解決手段】    樹木の剪定作業が、人が地上にいて能率的にできることを目的に、竿の先に、アームと電動式剪定小型バリカンが一体化したアーム付きバリカンを取りつけ、アームの角度調節をアームのもう一方の先端に結んだ紐状の物を引くことにより行うことができることを特徴とする高枝式電動バリカンがその課題を解決する。この発明をもとにして、すばらしい高枝式電動バリカンがメーカーの製品製造力により実現することを期待している。【選択図】図１
2008072912.tif 000002
【特許請求の範囲】
【請求項１】
樹木の剪定作業において、人が地上にいて能率的にできることを目的に、竿の先に、アームと電動式剪定小型バリカンが一体化したアーム付きバリカンを取りつけ、アーム付きバリカンの角度調節をアーム付きバリカンのもう一方の先端に結んだ紐状の物を引くことにより行うことを特徴とする高枝用電動バリカン。
【請求項２】
電気式剪定小型バリカンの剪定面の角度が水平方向から垂直方向までの角度調節ができることと、電気式剪定小型バリカンから離れた位置での剪定操作を容易にするために、前記アーム付きバリカンと竿の先との取り付けは、アーム付きバリカンの中間部と竿の先の穴とにボルトを通した関節を作り、アーム付きバリカンの中間部の穴は電気式剪定小型バリカンのほうが少し重くなるようにし、角度調節のためにアーム付きバリカンのもう一方の先端に結んだ紐状の物は、竿上の滑車を通し、その下に紐状の物の長さを調節できる留め金具をつけることを特徴とする請求項１記載の高枝用電動バリカン。
【請求項３】
安全で高い作業能率を持つことを目的に、動力源の電気接続は、電気式剪定小型バリカンのすぐ近くにソケットをつけ、竿の上方から下方までコードを引きその両端にソケットを付け、竿の中間にスイッチを取り付けることにより、電源コード切断およびコードの絡みの危険が非常に少いことを特徴とする請求項１記載の高枝用電動バリカン。
【発明の詳細な説明】
【技術分野】
【０００１】
この発明は、庭木の剪定に使う電気式剪定小型バリカンの利用効率を著しく向上させる「アーム付きバリカンと長竿」に関する。
【背景技術】
【０００２】
従来から高枝用剪定器具や電動式剪定バリカンが販売されているが、剪定バサミ以外は長く使用された器機は少ない。特許文献１「枝切り機」では丸鋸使用のため押し付けて切る点、特許文献２「高木剪定機」ではアームが無いので刃先が長くなり重くなる、さらに角度調節の構造が複雑で家庭用には不向きである点、特許文献３「携帯用剪定機」では刈り刃が多く重いので活用範囲が狭い点、等々いずれも剪定作業に難点がある。この高枝用電動バリカンの発明は最近非常に軽量化された電動式剪定小型バリカンが発売されことを受けて実用的工夫行ったものである。
【特許文献１】特開平１１−７５５４３号公報
【特許文献２】特開２００２−６５０６１号公報
【特許文献３】特開２００３−１９９４３０号公報
【発明の開示】
【発明が解決しようとする課題】
【０００３】
従来の梯子に登る剪定作業は転落の危険があり、高枝用剪定器具は能率が非常に低く、電動式剪定バリカンは高いところで操作するには重く、作業に手間取り電源コードを切断するなど危険も多い。
この発明は地上から作業ができ、安全かつ能率的に庭木や果樹の剪定ができる器機を提供することを課題とする。
【課題を解決するための手段】
【０００４】
１００ｃｍ〜３００ｃｍの竿と１００〜１５０ｃｍのアーム付きバリカンを作り、バリカン面を水平になるようにし、バリカンの刃先からアーム付きバリカンの中間部と竿先とをボルトで繋ぎ、アーム付きバリカンのもう一方の先端に結んだ紐を引くことによりアーム付きバリカンの角度調節を行う。
【０００５】
アーム付きバリカン中間部のボルトの穴は電気式剪定小型バリカンのほうが少し重くなるようにし、角度調節のために、アーム付きバリカンのもう一方の先端に結んだ紐は、関節部からアーム付きバリカンの紐を結ぶ個所と、関節部から竿上の滑車までの長さとがほぼ同じ距離にある滑車を通し、その下に紐の長さを調節できる留め金具をつけることにより、角度調節が円滑かつ簡単にできる。
【０００６】
紐をいっぱいに引くと竿とアーム付きバリカンが直線になり、電気式剪定小型バリカンの剪定面は垂直方向になる。また、紐状の物を緩めてアーム付きバリカンと竿を直角にすると、電気式剪定小型バリカンの剪定面は水平方向になり、真直ぐ上に伸びた小枝を横に払うことができる。又角度を45度位にすれば離れた小枝を横に払うことができる。
【０００７】
関節部は堅牢にするため、実施形態の図１・図３の形がある。角度調節を容易にするため、留め金具は窓に使うブラインドの紐を止める構造（図４の７）にし、引いたり緩めたりして調節し、角度を長時間固定して使うときは竿上のリングに結ぶ。
【０００８】
動力源の電気接続のため、電気式剪定小型バリカンのすぐ近くにソケットをつけ、竿の上方から下方までコードを引きその両端にソケットを付け、竿の中間にスイッチを取り付け、パイプ状の竿であればコードを中に入れることも可能である。スイッチは握るとONになるものでなく、普通のスイッチでONとOFFを押すものにする。
【０００９】
高所剪定のための継ぎ竿（１００ｃｍ〜２００ｃｍ）と継ぐ方法を図５に示す。
【発明の効果】
【００１０】
この発明によれば、高枝用電動バリカンの届く範囲での剪定作業が安全で能率的にでき、梯子が不要になる。地上での作業のため高枝を剪定する時、器機の安定を保ち垂直から水平方向までの小枝を剪定できる。留め金具の工夫によりアーム付きバリカンの角度調節を簡便にできる。作業中に電源コードの切断や絡みが少ない。
【００１１】
実際に高枝用電動バリカンを作って作業をしたところ驚く程能率的に作業ができた。
【発明を実施するための最良の形態】
【００１２】
この発明の一実施形態を、図１〜図５に示す。
【実施例】
【００１３】
実際に使用した自作品は、電動式剪定小型バリカンは「ＲＹＯＢＩ２００ｍｍヘッジトリマＨＴ・２０００」を使いアーム（木製８５ｃｍ）、長竿（木製３００ｃｍ）を使った。重量は電動式剪定小型バリカン９００ｇ、アーム４００ｇ、長竿とコード１７００ｇ、総重量３０００ｇであった。
「発展的課題解決手段」
【００１４】
電気式剪定小型バリカンに代えて電動鋸をアームの先に取り付けることもできる。
【００１５】
収納をし易くするため、アーム付きバリカンの軽量化により関節部は打楽器の中にあるドラムの構造物であるフットキックのチェーン状にできる。
【産業上の利用可能性】
【００１６】
器機の製造に当たってメーカーの協力により、アーム付きバリカン、アーム付きバリカン取り付け部分、長竿等、高枝用電動バリカンに適した製品を作る。さらに電動鋸の取り付け可能な器機の製造、大型化による台車・台座製造についても可能である。
これらのことにより剪定作業全般に省力化が可能となり、家庭の庭園のみでなく果樹園、公園緑地等で業務用器機としても活用できる。
【図面の簡単な説明】
【００１７】
【図１】この発明の一実施形態を示す斜視図である。
【図２】アーム付きバリカンの詳細図である。
【図３】関節部の詳細図である。
【図４】角度調節用紐の詳細図である。
【図５】継ぎ竿の図である.
【符号の説明】
【００１８】
１  アーム付きバリカン
（電動式剪定小型バリカンとアームを一体化したもの）
２  長竿
３  関節部（ぐら付かないようにし、ボルトで留める）
４  紐
５  紐を通す穴
６  滑車
７  紐留め金具
（ブラインドの昇降に使用するチルトギアの機能を持つもの）
８  紐結びリング
９  電気コード
１０  ソケット    
１１  スイッチ
１２  継ぎ竿を繋ぐボルト穴
１３  継ぎ竿
１４  関節部のボルト
１５  継ぎ竿連携２連式ボルト
【図１】
2008072912.tif 000003
【図２】
2008072912.tif 000004
【図３】
2008072912.tif 000005
【図４】
2008072912.tif 000006
【図５】
2008072912.tif 000007
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
樹木の剪定作業において、人が地上にいて高枝での作業範囲が広く、低い位置から見通しの利く位置を確保し能率的に行うことを目的に、竿の先に、アームと電動式剪定小型バリカンが一体化した長さが１００〜１５０ｃｍのアーム付きバリカンを取りつけ、アーム付きバリカンの角度調節はバリカン部分の自重を利用してアームのもう一方の先端に結んだ紐状の物を軽く引くことにより行うことを特徴とする高枝用電動バリカン。
【請求項２】
電気式剪定小型バリカンの剪定面の角度が水平方向から垂直方向までの角度調節ができることと、電気式剪定小型バリカンから離れた位置での操作を容易にするために、前記アーム付きバリカンと竿との取り付けは、アーム付きバリカンの中間部と竿先の取り付け部の穴とにボルトを通した関節を作り、この関節の穴を支点とし、アーム付きバリカンの角度調節を電動式剪定小型バリカンの自重を利用して、アームのもう一方の先端の紐を軽く引くことにより調節するため、関節の穴は電動式剪定小型バリカンのほうを少し重くし操作性が最適な位置になるよう調整し、アームのもう一方の先端に結んだ紐状の物は、竿上の滑車を通し、その下に紐状の物の長さを調節できる留め金具をつけることを特徴とする請求項１記載の高枝用電動バリカン。
【請求項３】
動力源である電源コードの切断および絡みを少なくすることを目的に、動力源の電気接続は、電気式剪定小型バリカンの近くにソケットをつけ、長竿内の上方から下方までコードを引きその両端にソケットを付け、竿の適切な位置にスイッチを取り付けることにより、安全性を高めたことを特徴とする請求項１記載の高枝用電動バリカン。